(57)【要約】【課題】遊技機に部品を取り付けることなく、様々な遊技機の固定に対応することができる遊技機固定具を提供する。【解決手段】第１，第２取付部材１１Ａ，１１Ｂに固定部材１２および調整部材１３を揺動自在に保持し、調整部材１３の軸受け腕部１３１が上向きで調整部１３２が固定部材１２の固定部１２２に近接した第１状態となるように調整ネジ１４を取付けると、調整ネジ１４のネジ頭部１４１が固定部材１２を押圧し、厚い下外枠に固定爪１２３を押圧して遊技機を固定でき、調整部材１３の軸受け腕部１３１が下向きで調整部１３２が固定部材１２の固定部１２２から離隔した第２状態となるように調整ネジ１４を取付けると、調整ネジ１４のネジ頭部１４１が深い角度で傾動した固定部材１２を押圧し、薄い下外枠に固定爪１２３を押圧して遊技機を固定できる。【選択図】図５
2011010919.tif 000002
【特許請求の範囲】
【請求項１】
遊技機設置島の遊技機収納フレームに収められた遊技機を固定するための遊技機固定具であって、
前記遊技機の後方側にて遊技機設置島に取り付けられる取付部と、
該取付部の一側より立ち上がる保持部と、
を備える取付部材と、
前記取付部材の保持部に揺動自在に軸支されて、支軸に直行するように延出する固定部材用軸受け腕部と、
該軸受け腕部の上方延出端に連なるように形成され、調整ネジを導入し得ると共に該調整ネジの一端側に設けられた押圧部を通さないネジ導入孔と、遊技機側へ延出する固定端部側に形成された固定爪と、を有する固定部と、
を備える固定部材と、
前記固定部材よりも遊技機側にて取付部材の保持部に揺動自在に軸支されて、支軸に直行するように延出する調整部材用軸受け腕部と、
該軸受け腕部の端縁に連なるように形成され、調整ネジと螺合し得るネジ受け孔を設けた調整部と、
を備える調整部材と、
からなり、
前記調整ネジを固定部材から調整部材へ導入してネジ受け孔に螺合することで、前記調整ネジの一端側に設けられた押圧部により、前記固定部材の固定爪を遊技機の外枠に押圧するようにしたことを特徴とする遊技機固定具。
【請求項２】
固定対象である遊技機の外枠が厚い場合には、調整部材の調整部を固定部材の固定部に近接させた第１状態にて、前記調整ネジを固定部材から調整部材へ導入してネジ受け孔に螺合することで、前記固定部材の固定爪を遊技機の外枠に押圧し、
固定対象である遊技機の外枠が薄い場合には、調整部材の調整部を固定部材の固定部から離隔させた第２状態にて、前記調整ネジを固定部材から調整部材へ導入してネジ受け孔に螺合することで、前記固定部材の固定爪を遊技機の外枠に押圧するようにしたことを特徴とする請求項１に記載の遊技機固定具。
【請求項３】
遊技機設置島の遊技機収納フレームに収められた遊技機を固定するための遊技機固定具であって、
前記遊技機の後方側にて遊技機設置島に取り付けられる取付部と、
該取付部の一側より立ち上がる保持部と、
を備える取付部材と、
前記取付部材の保持部に揺動自在に軸支されて、支軸に直行するように延出する軸受け腕部と、
該軸受け腕部の上方延出端に連なるように形成され、調整ネジを導入し得ると共に該調整ネジの一端側に設けられた押圧部を通さないネジ導入孔と、遊技機側へ延出する固定端部側に形成された固定爪と、を有する固定部と、
を備える固定部材と、
前記固定部材よりも遊技機側にて取付部材の保持部に揺動自在に支承され、前記調整ネジと螺合し得るネジ受け孔を設けた調整部材と、
からなり、
前記調整ネジを固定部材から調整部材へ導入してネジ受け孔に螺合することで、前記調整ネジの一端側に設けられた押圧部により、前記固定部材の固定爪を遊技機の外枠に押圧するようにしたことを特徴とする遊技機固定具。
【発明の詳細な説明】
【技術分野】
【０００１】
本発明は、遊技機設置島（以下、単に島という）の遊技機収納フレームに収められた遊技機を固定するための遊技機固定具に関するものである。
【背景技術】
【０００２】
従来は、遊技機の傾斜を確認しながら、釘やネジによって遊技機を島に固定していたために、技術が必要であり、遊技場では、コストはかかるが専門の大工に依頼して、遊技機を島に固定していた。
【０００３】
そのため、遊技場の従業員によって遊技機を島に設置することが可能な遊技機固定具が開発された。
【０００４】
従来の遊技機の設置方法として、取付け台（島）の上・下フレームに金具を取り付け、この金具に設けたボルトを回すことによりパチンコ台（遊技機）の上・下部側フレームを挟着固定する方法がある（例えば、特許文献１を参照）。
【０００５】
また、他の遊技機の固定方法として、パチンコ台（遊技機）の上枠板に調整部材をねじ止めし、この調整部材を介して島に固定するものもある（例えば、特許文献２あるいは特許文献３を参照）。
【先行技術文献】
【特許文献】
【０００６】
【特許文献１】実開昭６３−０２０８８８号公報
【特許文献２】実用新案登録第３１３０００５号公報
【特許文献３】特開平１０−０８０５６３号公報
【発明の概要】
【発明が解決しようとする課題】
【０００７】
しかしながら、近来の遊技機には、様々な制御装置が搭載されており、遊技機裏面側には十分なスペースが確保できない機種もあり、ボルトの一端側を遊技機の外枠に圧着して固定する構造の固定具を遊技機裏面側に配置できないような場合もある。加えて、遊技機の外枠は、メーカーや機種によって厚いものや薄いものが種々あり、外枠の厚さに左右されない全機種対応の固定具とするためには、固定具のネジをある程度長く設定しておく必要があり、狭小な遊技機裏面側に配置することが一層困難となる。
【０００８】
また、遊技機に何らかの部材を取り付けることは、遊技機の変更となり、行政に対する手続が必要であるが、その手続が非常に煩雑であり、特に、法改正により、平成１８年から、手続をしていない場合や、偽りの手続をした場合の遊技場への行政処分が厳格化されたために、遊技機に何らかの部材を取り付けることを、遊技場が非常に嫌がるという問題がある。更に、遊技機に何らかの部材を取り付けることが、遊技機の性能に影響を及ぼすと判断されると、行政から認められない可能性もある。
【０００９】
なお、島のフレームに、予め遊技機固定具等を埋め込んでおけば、遊技機に部材を取り付けることなく、コンパクトな構造で遊技機固定手段を構成できるものの、予め遊技機固定具等を埋め込むことを考慮せずに製造された既存の島や新規の島には、島のフレームのカットなどの改造が必要となり、適用が困難である点で問題である。
【００１０】
そこで、本発明は、上記問題点に鑑み、遊技機に部品を取り付けることなく、様々な遊技機の固定に対応することができる、遊技機固定具の提供を目的とする。
【課題を解決するための手段】
【００１１】
上記の課題を解決するために、請求項１に係る発明は、遊技機設置島の遊技機収納フレームに収められた遊技機を固定するための遊技機固定具であって、前記遊技機の後方側にて遊技機設置島に取り付けられる取付部と、該取付部の一側より立ち上がる保持部と、を備える取付部材と、前記取付部材の保持部に揺動自在に軸支されて、支軸に直行するように延出する固定部材用軸受け腕部と、該軸受け腕部の上方延出端に連なるように形成され、調整ネジを導入し得ると共に該調整ネジの一端側に設けられた押圧部を通さないネジ導入孔と、遊技機側へ延出する固定端部側に形成された固定爪と、を有する固定部と、を備える固定部材と、前記固定部材よりも遊技機側にて取付部材の保持部に揺動自在に軸支されて、支軸に直行するように延出する調整部材用軸受け腕部と、該軸受け腕部の端縁に連なるように形成され、調整ネジと螺合し得るネジ受け孔を設けた調整部と、を備える調整部材と、からなり、前記調整ネジを固定部材から調整部材へ導入してネジ受け孔に螺合することで、前記調整ネジの一端側に設けられた押圧部により、前記固定部材の固定爪を遊技機の外枠に押圧するようにしたことを特徴とする。
【００１２】
また、請求項２に係る発明は、上記請求項１に記載の遊技機固定具において、固定対象である遊技機の外枠が厚い場合には、調整部材の調整部を固定部材の固定部に近接させた第１状態にて、前記調整ネジを固定部材から調整部材へ導入してネジ受け孔に螺合することで、前記固定部材の固定爪を遊技機の外枠に押圧し、固定対象である遊技機の外枠が薄い場合には、調整部材の調整部を固定部材の固定部から離隔させた第２状態にて、前記調整ネジを固定部材から調整部材へ導入してネジ受け孔に螺合することで、前記固定部材の固定爪を遊技機の外枠に押圧するようにしたことを特徴とする。
【００１３】
上記の課題を解決するために、請求項３に係る発明は、遊技機設置島の遊技機収納フレームに収められた遊技機を固定するための遊技機固定具であって、前記遊技機の後方側にて遊技機設置島に取り付けられる取付部と、該取付部の一側より立ち上がる保持部と、を備える取付部材と、前記取付部材の保持部に揺動自在に軸支されて、支軸に直行するように延出する軸受け腕部と、該軸受け腕部の上方延出端に連なるように形成され、調整ネジを導入し得ると共に該調整ネジの一端側に設けられた押圧部を通さないネジ導入孔と、遊技機側へ延出する固定端部側に形成された固定爪と、を有する固定部と、を備える固定部材と、前記固定部材よりも遊技機側にて取付部材の保持部に揺動自在に支承され、前記調整ネジと螺合し得るネジ受け孔を設けた調整部材と、からなり、前記調整ネジを固定部材から調整部材へ導入してネジ受け孔に螺合することで、前記調整ネジの一端側に設けられた押圧部により、前記固定部材の固定爪を遊技機の外枠に押圧するようにしたことを特徴とする。
【発明の効果】
【００１４】
請求項１に係る遊技機によれば、調整ネジを固定部材から調整部材へ導入してネジ受け孔に螺合し、押圧部により、固定部材を押圧し、押圧された固定部材の固定爪で、遊技機を押圧して固定するため、遊技機に部材を取り付けることなく遊技機の固定が可能となり、かつ、コンパクトにすることが可能となる。
【００１５】
また、請求項２に係る遊技機によれば、固定対象である遊技機の外枠が厚い場合にも、薄い場合にも、遊技機の固定が可能となる。
【００１６】
請求項３に係る遊技機によれば、調整ネジを固定部材から調整部材へ導入してネジ受け孔に螺合し、押圧部により、固定部材を押圧し、押圧された固定部材の固定爪で、遊技機を押圧して固定するため、遊技機に部材を取り付けることなく遊技機の固定が可能となり、かつ、コンパクトにすることが可能となる。
【図面の簡単な説明】
【００１７】
【図１】遊技機側面における固定状態説明図である。
【図２】本発明の第１実施形態に係る遊技機固定具によって遊技機下外枠を固定した斜視図である。
【図３】第１実施形態に係る遊技機固定具の外観斜視図である。
【図４】（ａ）は第１実施形態に係る遊技機固定具の正面図である。（ｂ）は同平面図である。（ｃ）は同裏面図である。
【図５】第１実施形態に係る遊技機固定具の使用状態説明図で、（ａ）は非使用時の状態、（ｂ）は厚板対応時の状態、（ｃ）は薄板対応時の状態である。
【図６】（ａ）は図６（ｄ）におけるＡ−Ａ線矢視断面図である。（ｂ）は図６（ｄ）におけるＢ−Ｂ線矢視断面図である。（ｃ）は図６（ｄ）におけるＣ−Ｃ線矢視断面図である。（ｄ）は薄板対応時の遊技機固定具の平面図である。
【図７】本発明に係る遊技機固定具の状態変更原理説明図である。
【図８】（ａ）延長用固定爪部材の第１構成例の外観斜視図である。（ｂ）は第１構成例の延長用固定爪部材を第１実施形態に係る遊技機固定具に装着した状態の概略断面図である。
【図９】（ａ）は第１構成例の延長用固定爪部材を第１実施形態に係る遊技機固定具に装着した状態の俯瞰斜視図である。（ｂ）は第１構成例の延長用固定爪部材を第１実施形態に係る遊技機固定具に装着した状態の仰観斜視図である。
【図１０】（ａ）延長用固定爪部材の第２構成例の外観斜視図である。（ｂ）は第２構成例の延長用固定爪部材を第１実施形態に係る遊技機固定具に装着した状態の概略断面図である。
【図１１】（ａ）は第２構成例の延長用固定爪部材を第１実施形態に係る遊技機固定具に装着した状態の俯瞰斜視図である。（ｂ）は第２構成例の延長用固定爪部材を第１実施形態に係る遊技機固定具に装着した状態の仰観斜視図である。
【図１２】本発明の第２実施形態に係る遊技機固定具によって遊技機上部外枠を固定した状態の仰観斜視図である。
【図１３】本発明の第２実施形態に係る遊技機固定具によって遊技機上部外枠を固定した状態の後方側斜視図である。
【図１４】本発明の第２実施形態に係る遊技機固定具の前方側斜視図である。
【図１５】本発明の第２実施形態に係る遊技機固定具の分離状態を示す俯瞰斜視図である。
【図１６】本発明の第２実施形態に係る遊技機固定具の分離状態を示す仰観斜視図である。
【図１７】本発明の第２実施形態に係る遊技機固定具による固定状態説明図である。
【図１８】本発明の第２実施形態に係る遊技機固定具による前後方向の固定位置調整説明図である。
【図１９】本発明の第２実施形態に係る遊技機固定具の第１改変例によって遊技機上部外枠を固定した状態の仰観斜視図である。
【図２０】本発明の第２実施形態に係る遊技機固定具の第１改変例によって遊技機上部外枠を固定した状態の後方側斜視図である。
【図２１】（ａ）は本発明の第２実施形態に係る遊技機固定部の第２改変例の前面側斜視図である。（ｂ）は本発明の第２実施形態に係る遊技機固定部の第２改変例の正面図である。
【図２２】（ａ）は本発明の第２実施形態に係る遊技機固定具の第２改変例によって遊技機上部外枠を固定した状態の俯瞰斜視図である。（ｂ）は本発明の第２実施形態に係る遊技機固定具の第２改変例によって遊技機上部外枠を固定した状態の仰観斜視図である。
【図２３】本発明の第３実施形態に係る遊技機固定具によって遊技機下外枠を固定した状態の俯瞰斜視図である。
【図２４】（ａ）は第３実施形態に係る遊技機固定具の平面図である。（ｂ）は第３実施形態に係る遊技機固定具の斜視図である。
【図２５】（ａ）は第４実施形態に係る遊技機固定具の平面図である。（ｂ）は第４実施形態に係る遊技機固定具の斜視図である。
【図２６】（ａ）は第５実施形態に係る遊技機固定具の平面図である。（ｂ）は第５実施形態に係る遊技機固定具の斜視図である。
【図２７】（ａ）は第１構成例の延長用固定爪部材を第３実施形態に係る遊技機固定具に装着した状態の俯瞰斜視図である。（ｂ）は第１構成例の延長用固定爪部材を第３実施形態に係る遊技機固定具に装着した状態の仰観斜視図である。
【図２８】（ａ）は第２構成例の延長用固定爪部材を第３実施形態に係る遊技機固定具に装着した状態の俯瞰斜視図である。（ｂ）は第２構成例の延長用固定爪部材を第３実施形態に係る遊技機固定具に装着した状態の仰観斜視図である。
【図２９】スペーサを介して高さ調整した第１実施形態に係る遊技機固定具により遊技機下外枠を固定した状態の斜視図である。
【図３０】（ａ）はスペーサを介して高さ調整した第１実施形態に係る遊技機固定具により遊技機下外枠を固定した状態の側面図である。（ｂ）はスペーサの俯瞰斜視図である。
【図３１】スペーサを介して高さ調整した第３実施形態に係る遊技機固定具により遊技機下外枠を固定した状態の斜視図である。
【図３２】（ａ）は第６実施形態に係る遊技機固定具の外観斜視図である。（ｂ）は調整部材の斜視図である。（ｃ１）は固定部を水平にした遊技機固定具の概略断面図である。（ｃ２）は固定部を下向きに傾動させた遊技機固定具の概略断面図である。
【図３３】（ａ）は第７実施形態に係る遊技機固定具の外観斜視図である。（ｂ）は調整部材の斜視図である。（ｃ１）は固定部を水平にした遊技機固定具の概略断面図である。（ｃ２）は固定部を下向きに傾動させた遊技機固定具の概略断面図である。
【発明を実施するための形態】
【００１８】
次に、本発明に係る遊技機の実施形態を添付図面に基づき詳細に説明する。図１は、遊技機１００の外枠１０１の下部（下外枠１０１ａ）を第１実施形態に係る遊技機固定具１０により固定し、遊技機１００の外枠１０１の上部（上外枠１０１ｂ）を第２実施形態に係る遊技機固定具２０により固定した状態を示すもので、遊技機設置島２００の膳板２０１上に位置する下部フレーム２０２に遊技機固定具１０を、上部フレーム２０３に遊技機固定具２０を固定する。なお、膳板には、遊技媒体を収容する容器（所謂ドル箱）等を載置する。
【００１９】
先ず、第１実施形態に係る遊技機固定具１０について説明する。なお、以下の説明では、遊技機固定具１０の取付位置において遊技機１００に向う方向を前、その逆を後とし、この前後方向を基準に左右を特定する。図２〜図６に示すように、遊技機固定具１０は、第１取付部材１１Ａ、第２取付部材１１Ｂ、固定部材１２、調整部材１３および調整ネジ１４等により構成される。
【００２０】
第１取付部材１１Ａおよび第２取付部材１１Ｂは、左右対称の構造であり、遊技機１００の下外枠１０１ａの後方側で下部フレーム２０２に取り付けられる取付部１１１と、この取付部１１１の一側より略鉛直方向（下部フレーム２０２の上面２０２ａに直行する向き）に立ち上がる保持部１１２とを備えた、例えば、断面略Ｌ字状の金属製厚板材である。第１，第２取付部材１１Ａ，１１Ｂの取付部１１１には、各々前後方向に第１取付孔１１１ａ，第２取付孔１１１ｂ，第３取付孔１１１ｃを設け、これら第１〜第３取付孔１１１ａ〜１１１ｃを適宜に用いて、下部フレーム２０２にビス止めして取り付ける。また、保持部１１２の適宜前方寄りには、固定部材用軸受け孔１１２ａと調整部材用軸受け孔１１２ｂを前後に適宜離して設けてある（図６（ｂ）を参照）。
【００２１】
上記第１，第２取付部材１１Ａ，１１Ｂの間で揺動自在に軸支される固定部材１２は、保持部１１２と平行に（支軸に直行するように）上方へ延出する左右一対の軸受け腕部１２１と、軸受け腕部１２１の上方延出端に連なるように形成された固定部１２２とを備えた、例えば、金属製厚板材である。各軸受け腕部１２１には、軸受け孔１２１ａを設けてあり（図６（ｃ）を参照）、第１，第２取付部材１１Ａ，１１Ｂの各固定部材用軸受け孔１１２ａと共に軸部材１５により回動可能に軸支される。軸部材１５は、軸部１５１の両端に抜け止め部１５２を形成したもので、軸部１５１の径は、第１，第２取付部材１１Ａ，１１Ｂの固定部材用軸受け孔１１２ａや固定部材１２の軸受け孔１２１ａの開口径よりも小さく設定しておくことで、第１，第２取付部材１１Ａ，１１Ｂと固定部材１２との相対的位置関係を高い自由度で変化させることができる。
【００２２】
また、固定部１２２の適所（例えば、固定部１２２を下部フレーム２０２と平行に配したとき、調整部材１４の直上方となる位置）には、上下に貫通するネジ導入孔１２２ａを開設し、このネジ導入孔１２２ａの上方より調整ネジ１４を導入する。なお、ネジ導入孔１２２ａの下部開口径は調整ネジ１４のネジ頭部１４１の最大径よりも小さくすることにより、ネジ頭部１４１が押圧部として機能し、且つ、調整ネジ１４のネジ胴部１４２よりも大きくなるように設定しておくことにより、調整ネジ１４がネジ導入孔１２２ａに導入されたままで、調整ネジ１４と固定部材１２との相対的位置関係を高い自由度で変化させることができる。なお、本実施の形態では、ネジ頭部１４１の形状を上端部が平面の皿ネジとし、ネジ導入孔１２２ａの上部開口径を調整ネジ１４のネジ頭部１４１の最大径よりも大きくし、ネジ頭部の上端部が、固定部１２２より突出しないようにしている。
【００２３】
さらに、固定部１２２の遊技機側端縁である固定端部１２２ｂの左右両側には、下向きに突出する固定爪１２３を形成してあり、固定部材１２を傾動させて固定爪１２３を遊技機１００の下外枠１０１ａ上に押圧することで、下外枠１０１ａを固定爪１２３と下部フレーム２０２により挟持して、遊技機１００を固定する。なお、固定部１２２の適所（例えば、ねじ導入孔１２２ａの適宜前方側）には、後述する延長用固定爪部材を取付けるためのネジ受け孔１２２ｃを設けてある。
【００２４】
上記第１，第２取付部材１１Ａ，１１Ｂの間で揺動自在に軸支される調整部材１３は、保持部１１２と平行に（支軸に直行するように）延出する左右一対の軸受け腕部１３１と、軸受け腕部１３１の延出端に連なるように形成された調整部１３２とを備えた、例えば、金属製厚板材である。各軸受け腕部１３１には、軸受け孔１３１ａを設けてあり（図６（ｃ）を参照）、第１，第２取付部材１１Ａ，１１Ｂの各調整部材用軸受け孔１１２ｂと共に軸部材１５により回動可能に軸支される。なお、軸受け孔１３１ａの開口径は、第１，第２取付部材１１Ａ，１１Ｂの調整材用軸受け孔１１２ｂと同様に、軸部材１５の軸部１５１の軸径よりも適宜大きく設定しておくことで、第１，第２取付部材１１Ａ，１１Ｂと調整部材１３との相対的位置関係を高い自由度で変化させることができる。
【００２５】
また、調整部材１３の調整部１３２の略中央には、調整ネジ１４のネジ胴部１４２のネジ溝と嵌合するネジ溝が形成されたネジ受け孔１３２ａを設けてあり、上記固定部材１２の固定部１２２のネジ導入孔１２２ａから導入された調整ネジ１４を螺合することで、固定部材１２の傾動状態を変化させることができる。
【００２６】
例えば、図５（ａ）に示すように、調整部材１３の軸受け腕部１３１が上向きで調整部１３２が固定部材１２の固定部１２２に近接した第１状態となるように調整ネジ１４を取付けて、調整ネジ１４を締め付ける方向に回転させると、調整部１３２が固定部１２２に当接するまでの浅い角度の範囲でしか、調整部材１２を傾動させられないため（図５（ｂ）を参照）、遊技機１００の下外枠１０１ａがより薄い場合には対応できないが、調整ネジ１４を緩める方向に回転させると、軸受け腕部１３１が上向きの状態で固定部１２２と調整部１３２とを離隔することが可能となり、遊技機１００の下外枠１０１ａに固定爪１２３を押圧可能な範囲で、遊技機１００の下外枠１０１ａが厚い場合でも対応できる。
【００２７】
一方、調整部材１３の軸受け腕部１３１が下向きで調整部１３２が固定部材１２の固定部１２２から離隔した第２状態となるように調整ネジ１４を取付けると、深い角度で調整部材１２を傾動させ（図５（ｃ）を参照）、遊技機１００の下外枠１０１ａに固定爪１２３を押圧することができ、遊技機１００の下外枠１０１ａが薄い場合に有効である。よって、遊技機固定具１０を用いれば、様々なタイプの遊技機１００の固定に対応することができる。
【００２８】
このように、第１状態でも第２状態でも調整ネジ１４を取り付けることが可能なのは、固定部材１２と調整部材１３と調整ネジ１４との相対的位置関係が高い自由度で変えられるようにしたからである。例えば、図７（ａ１），（ａ２）に示す第１状態においては、固定部材１２の回動基準点αと調整部材１３の回動基準点βの離隔距離は、固定部１２２のネジ導入孔１２２ａと調整部１３２のネジ受け孔１３２ａが一直線状に並ぶときよりも、調整ネジ１４をねじ込んで調整部１３２を固定部１２２に近づけてゆくと、固定部材１２の回動基準点αと調整部材１３の回動基準点βの離隔距離が長くなるが、第１，第２取付部材１１Ａ，１１Ｂの固定部材用軸受け孔１１２ａおよび固定部材１２の軸受け孔１２１ａは軸部材１５の軸部１５１よりも大きく設定し、第１，第２取付部材１１Ａ，１１Ｂの調整部材用軸受け孔１１２ｂおよび調整部材１３の軸受け孔１３１ａは軸部材１５の軸部１５１よりも大きく設定し、固定部１２のネジ導入孔１２２ａは調整ネジ１４のネジ胴部１４２よりも大きく設定することで、調整ネジ１４が螺着された状態の調整部１３と固定部材１２との相対的位置関係を高い自由度で変化させることができ、回動基準点α，βの離隔変化分を吸収することができるのである。なお、図７（ａ３）に示すように、調整ネジ１４を緩めて固定部１２２と調整部１３２を離隔させることもできるので、下外枠１０１ａが非常に厚く形成された遊技機１００を固定することも可能である。
【００２９】
また、図７（ｂ１），（ｂ２）に示す第２状態においても同様に、固定部材１２の回動基準点αと調整部材１３の回動基準点βの離隔距離は、固定部１２２のネジ導入孔１２２ａと調整部１３２のネジ受け孔１３２ａが一直線状に並ぶときよりも、調整ネジ１４をねじ込んで調整部１３２を固定部１２２に近づけてゆくと、固定部材１２の回動基準点αと調整部材１３の回動基準点βの離隔距離が長くなるが、第１，第２取付部材１１Ａ，１１Ｂの固定部材用軸受け孔１１２ａおよび固定部材１２の軸受け孔１２１ａは軸部材１５の軸部１５１よりも大きく設定し、第１，第２取付部材１１Ａ，１１Ｂの調整部材用軸受け孔１１２ｂおよび調整部材１３の軸受け孔１３１ａは軸部材１５の軸部１５１よりも大きく設定し、固定部１２のネジ導入孔１２２ａは調整ネジ１４のネジ胴部１４２よりも大きく設定することで、調整ネジ１４が螺着された状態の調整部１３と固定部材１２との相対的位置関係を高い自由度で変化させることができ、回動基準点α，βの離隔変化分を吸収することができるのである。なお、本実施の形態では、ネジ導入孔１２２ａの上部開口径を調整ネジ１４のネジ頭部１４１の最大径よりも大きくしているが、調整ネジ１４と固定部材１２との相対的位置関係を高い自由度で変化させるためには、ネジ導入孔１２２ａの上部開口径は、ネジ胴部１４２よりも大きく設定すればよく、ネジ導入孔１２２ａの下部開口径と同じでもよい。
【００３０】
上述した本実施形態の遊技機用固定具１０は、遊技機１００の下外枠１０１ａの後端部に固定爪１２３で固定するものであるが、下外枠１０１ａの後端部に固定爪２３１を噛み込ませることができない事情があるような場合、下外枠１０１ａの後端部よりも前側を固定するために、延長用固定爪部材３１０を装着できるようにしてある。
【００３１】
第１構成例として示す延長用固定爪部材３１０は、図８，９に示すように、遊技機用固定具１０の固定部１２の固定端部１２２ｂにおける左右の固定爪１２３の間に収まる横幅の略板状体である延長基体３１１の一方端に下向きに突出する爪部３１２を形成したもので、爪部３１２を形成していない他方端側にネジ受け孔３１３を設け、固定部材１２の固定部１２２の延長用固定爪部材を取付けるためのネジ受け孔１２２ｃと共に固着ネジ３１４により取り付ける。
【００３２】
上述した第１構成例の延長用固定爪部材３１０は、遊技機用固定具１０に装着したときに延長される爪部３１２の位置を変更できないが、その位置を細かく微調整できるようにしたのが、第２構成例として示す延長用固定爪部材３２０である。延長用固定爪部材３２０は、図１０，１１に示すように、遊技機用固定具１０の固定部１２の横幅に略等しい延長基体３２１の左右両側に下方に延出する側壁部３２２を設け、側壁部３２２の一方端に下向きに突出する爪部３２２を形成したもので、固定部材１２の固定部１２２上に延長用固定爪部材３２０を乗せた状態で前後にスライド可能である。また、延長基体３２１には、爪部３２２ａを形成していない他方端側より前後方向のネジ受溝３２３を設けてあり、このネジ受溝３２３を介して固定部材１２の延長用固定爪部材を取付けるためのネジ受け孔１２２ｃに固着ネジ３２４によって固定できる。すなわち、固着ネジ３２４をゆるめて延長用固定爪部材３２０の延出量を適宜に調整した後、再び固着ネジ３２４で固定すれば、遊技機用固定具１０による固定位置を自在に調整できるのである。
【００３３】
また、調整部材１３の軸受け腕部１３１が上向きで調整部１３２が固定部材１２の固定部１２２に近接した第１状態となるように調整ネジ１４を取付けて、調整ネジ１４を緩める方向に回転させ、固定部１２２と調整部１３２とを離隔すると、下外枠１０１ａが非常に厚くなると、固定部１２２の長さが不足して、遊技機１００の下外枠１０１ａに固定爪１２３を押圧できなくなるが、延長用固定爪部材３１０、延長用固定爪部材３２０を用いることにより、爪部３１２、爪部３２２ａを、遊技機１００の下外枠１０１ａに押圧することができ、下外枠１０１ａがより厚い場合でも対応可能となる。
【００３４】
なお、本実施の形態では、膳板２０１と下部フレーム２０２とを設けたが、下部フレーム２０２を設けずに、膳板２０１に下部フレーム２０２の機能を持たせ、膳板２０１に遊技機１００を戴置し、膳板２０１に遊技機固定具１０を取り付けてもよい。また、膳板２０１を設けずに、下部フレーム２０２を前方に延長して、下部フレーム２０２に膳板２０１の機能を持たせてもよい。
【００３５】
次に、第２実施形態に係る遊技機固定具２０について説明する。図１２〜図１７に示すように、遊技機固定具２０は、遊技機１００の上外枠１０１ｂの後方側で上部フレーム２０３に取り付けられるもので、上述した遊技機固定具１０とは異なり、遊技機固定位置を前後左右に調整可能な構造を備えている。斯くするために、遊技機固定具２０は、第１スライドベース部材２１、固定部材２２、調整部材２３、調整ネジ２４、軸部材２５、第２スライドベース部材２６、取付ベース部材２７等により構成される。
【００３６】
第１スライドベース部材２１は、前後方向に長いスライド部２１１の両側方より略鉛直下方（上部フレーム２０３の下面２０３ａに直行する向き）に延出する保持部２１２とを備えた金属製厚板材である。第１スライドベース部材２１のスライド部２１１は、直接上部フレーム２０３に取り付けられるものではなく、後述する第２スライドベース部材２６に対して前後にスライドし、この第２スライドベース部材２６は取付ベース部材２７に対して左右にスライドする。すなわち、本実施形態においては、遊技機設置島２００に取り付けられる取付ベース部材２７に対して第１スライドベース部材２１の位置調整が可能になるので、第１，第２スライド部材２１，２６と取付ベース部材２７が協働することで、取付部材における取付部としての機能を実現するのである。
【００３７】
なお、第１スライドベース部材２１の前端部側（側方に保持部２１２のない部分）は、挟持部２１１ａである。下部フレーム２０２の場合、遊技機１００を戴置するため、下部フレーム２０２と下外枠１０１ａとの間には殆ど隙間がないが、上部フレームの下面２０３ａと上外枠１０１ｂの上面との間にはクリアランスのために数ミリの隙間があるので、挟持部２１１ａを上部フレームの下面２０３ａと上外枠１０１ｂとの隙間に挿入し、挟持部２１１ａと固定部材２２とにより、遊技機１００の上外枠１０１ｂを挟持している。
【００３８】
上記第１スライドベース部材２１における左右の保持部２１２の間で揺動自在に軸支される固定部材２２は、保持部２１２と平行に（支軸に直行するように）下方へ延出する左右一対の軸受け腕部２２１と、軸受け腕部２２１の下方延出端に連なるように形成された固定部２２２とを備えた、例えば、金属製厚板材である。各軸受け腕部２２１には軸受け孔を設けてあり、第１スライドベース部材２１の各固定部材用軸受け孔と共に軸部材２５により回動可能に軸支される。軸部材２５は、軸部の両端に抜け止め部を形成したもので、軸部の径は、第１スライドベース部材２１の固定部材用軸受け孔や固定部材２２の軸受け孔の開口径よりも小さく設定しておくことで、第１スライドベース部材２１と固定部材２２との相対的位置関係を高い自由度で変化させることができる。
【００３９】
また、固定部２２２の適所（例えば、固定部２２２を上部フレーム２０３と平行に配したとき、調整部材２４の直上方となる位置）には、上下に貫通するネジ導入孔２２２ａを開設し、このネジ導入孔２２２ａの下方より調整ネジ２４を導入する。なお、ネジ導入孔２２２ａの上部開口径は調整ネジ２４のネジ頭部２４１の最大径よりも小さくすることにより、ネジ頭部２４１が押圧部として機能し、且つ、調整ネジ２４のネジ胴部２４２よりも大きくなるように設定しておくことにより、調整ネジ２４がネジ導入孔２２２ａに導入されたままで、調整ネジ２４と固定部材２２との相対的位置関係を高い自由度で変化させることができる。
【００４０】
さらに、固定部２２２の遊技機側端縁である固定端部２２２ｂの左右両側には、上向きに突出する固定爪２２３を形成してあり、固定部材２２を傾動させて固定爪２２３を遊技機１００の上外枠１０１ｂ下面に押圧することで、固定爪２２３と挟持部２１１ａとで遊技機１００を挟持することにより固定する。なお、固定部２２２の適所（例えば、ねじ導入孔２２２ａの適宜前方側）には、前述した延長用固定爪部材３１０，３２０を取付けるためのネジ受け孔２２２ｃを設けてある。
【００４１】
上記第１スライドベース部材２１の間で揺動自在に軸支される調整部材２３は、保持部２１２と平行に（支軸に直行するように）延出する左右一対の軸受け腕部２３１と、軸受け腕部２３１の延出端に連なるように形成された調整部２３２とを備えた、例えば、金属製厚板材である。各軸受け腕部２３１には、軸受け孔を設けてあり、第１スライドベース部材２１の各調整部材用軸受け孔と共に軸部材２５により回動可能に軸支される。なお、調整部材２３の軸受け孔の開口径は、第１スライドベース部材２１の調整部材用軸受け孔と同様に、軸部材２５の軸部の軸径よりも適宜大きく設定しておくことで、第１スライドベース部材２１と調整部材２３との相対的位置関係を高い自由度で変化させることができる。
【００４２】
また、調整部材２３の調整部２３２の略中央には、調整ネジ２４のネジ胴部２４２のネジ溝と嵌合するネジ溝が形成されたネジ受け孔２３２ａを設けてあり、上記固定部材２２の固定部２２２のネジ導入孔２２２ａから導入された調整ネジ２４を螺合することで、固定部材２２の傾動状態を変化させることができる。
【００４３】
上記のように、遊技機固定具１０と同様な構造を採用した遊技機固定具２０においても、調整部材２３の軸受け腕部２３１が下向きで調整部２３２が固定部材２２の固定部２２２に近接した第１状態となるように調整ネジ２４を取り付けると、調整部２３２が固定部２２２に当接するまでの浅い角度の範囲で調整部材２２を傾動させ、遊技機１００の上外枠１０１ｂに固定爪２２３を押圧し、固定爪２２３と挟持部２１１ａとで上外枠１０１ｂを挟持させることができ、遊技機１００の上外枠１０１ｂが比較的厚い場合に有効である。また、調整部材２３の軸受け腕部２３１が上向きで調整部２３２が固定部材２２の固定部２２２から離隔した第２状態となるように調整ネジ２４を取り付けると、深い角度で調整部材２２を傾動させ、遊技機１００の上外枠１０１ｂに固定爪２２３を押圧し、固定爪２２３と挟持部２１１ａとで上外枠１０１ｂを挟持させることができ、遊技機１００の上外枠１０１ｂが薄い場合に有効である。よって、遊技機固定具２０を用いても、様々なタイプの遊技機１００の固定に対応することができる。
【００４４】
また、遊技機固定具２０の第１スライドベース部材２１のスライド部２１１の上面には、前後方向に適宜な長さを有するガイド孔２１３を開設してあり、第２スライドベース部材２６の下面に螺着するガイドネジ２６１がガイド孔２１３に沿って前後にスライド可能に保持される。さらに、スライド部２１１の上面におけるガイド孔２１３の両側方の適所には、移動規制体２１４を各々設け、各移動規制体２１４の上面の前後方向に定間隔で連続的に形成された凹凸が、第２スライドベース部材２６の下面へ前後方向の帯状に形成した規制受部２６２の凹凸に丁度嵌まった状態で、第１スライドベース部材２１と第２スライドベース部材２６が安定する。この安定状態から力を加えて、第１スライドベース部材２１を第２スライドベース部材２６から前後に動かすと、移動規制体２１４の凹凸が規制受部２６２の凹凸から外れるが、次の凹凸で再び嵌合する。すなわち、第１スライドベース部材２１と第２スライドベース部材２６は、移動規制体２１４と規制受部２６２の凹凸形成間隔が最小移動量となるように移動が規制されるのである。このように、遊技機１００の上部を固定した状態で第１スライド部材２１の前後位置を調整すると、遊技機１００の傾斜角度を簡便に調整することができる。なお、第１スライドベース部材２１の適正位置が決まると、スライド部２１１の下面よりガイド孔２１３を通して第２スライドベース部材２６のネジ受け孔２６３に螺着されるネジ部を備えた第１調整ハンドル２８を締めて固定する。
【００４５】
一方、遊技機固定具２０の取付ベース部材２７は、上部フレーム２０３の後面２０３ｂに当着される第１取付部２７１と、その下縁部の左右側端部より各々前方へ延出して上部フレーム２０３の下面２０３ａに当着される第２取付部２７２，第３取付部２７３を備え、これら第１取付部２７１および第２，第３取付部２７２，２７３の内から、取付部を適宜選択して、上部フレーム２０３にネジ止めすることで強固に取り付けることができる。そして、取付ベース部材２７の第１取付部２７１の上縁には、後方へ延出する保持ガイド部２７４を設けてあり、この保持ガイド部２７４に形成した左右方向に長いガイド孔２７４ａを通して第２スライドベース部材２６に螺着されるネジ部を備えた第２調整ハンドル２９によって、第２スライドベース部材２６を取付ベース部材２７に固定できる。すなわち、第２調整ハンドル２９をゆるめれば、第２スライドベース部材２６を左右にスライド移動することができ、適正位置にて第２調整ハンドル２９を締めれば、第２スライドベース部材２７を固定できる。
【００４６】
上記のように構成した第２実施形態に係る遊技機固定具２０によれば、第１スライドベース部材２１を前後動させることで、固定部２１の前後位置を適宜に調整できる。例えば、図１８（ａ）に示すように、上外枠１０１ｂの左右両端部側に、ある程度の前後幅が有る遊技機１００を固定する場合には、第２スライドベース部材２６に対して第１スライドベース部材２１を標準的な位置に固定したままで十分であるが、図１８（ｂ）に示すように、上外枠１０１ｂの左右両端部側の前後幅が非常に小さい枠（例えばアルミ枠）１０１ｃを備える遊技機１００を固定する場合には、第２スライドベース部材２６に対して第２スライドベース部材２１を前方へ移動させた状態で使用することで対応可能となる。
【００４７】
また、第２実施形態に係る遊技機固定具２０は、上部フレーム２０３に取り付ける取付ベース部材２７が左右に広い取付スペースを要することから、遊技機１００の上方から遊技球を補給する補給機構などが障害となって遊技機固定具２０を取り付けることが困難な場合も想定される。このような場合には、図１９，２０に示す遊技機固定具２０′のように、第２，第３取付部２７２，２７３の一方（遊技機の中央側）を切除した取付ベース部材２７′を用いることができる。この遊技機固定具２０′でも、固定部材２２の固定部２２２を前後左右に調整する機能を損なうことはない。
【００４８】
また、上部フレーム２０３の前後幅があまりなく、上部フレーム２０３の後面２０３ｂと上外枠１０１ｂの後面との距離が殆どない場合、上部フレームの下面２０３ａと上外枠１０１ｂの上面との間の隙間に、第２，第３取付部２７２，２７３が挿入されるが、上外枠１０１ｂの左右両端部には、外枠を補強する金具があり、金具の形状によっては、第２，第３取付部２７２，２７３と干渉することがある。そのような場合には、第２，第３取付部２７２，２７３の一方（遊技機の左右端部側）を切除した取付ベース部材２７′を用いれば、対応することができる。また、図２１，２２に示す遊技機固定具２０″のように、第２，第３取付部２７２，２７３の両方を切除した取付ベース部材２７″を用いれば、両方に対応することが可能である。
【００４９】
なお、遊技機固定具２０″の場合、上部フレーム２０３に取付ベース部材２７をネジ止めする場合、前後方向（上部フレーム２０３の後面２０３ｂに直行する向き）にしかネジ止めできないが、上下方向（上部フレーム２０３の上面２０３ｃに直行する向き）にネジ止めが必要な場合には、例えば、一方を上部フレーム２０３の上面２０３ｃに載置し、他方を上部フレーム２０３の後面２０３ｂに当着した、取付孔を設けた断面略Ｌ字状の金属製厚板を設け、一方を取付孔を用いて上部フレーム２０３の上面２０３ｃに上下方向にネジ止めし、他方の取付孔と第１取付部２７１の取付孔を用いて、上部フレーム２０３の後面２０３ｂに遊技機固定具２０″を前後方向にネジ止めしてもよい。また、他方の取付孔を、取付ネジのネジ溝と嵌合するネジ溝が形成されたネジ受け孔にして、取付ネジを取付ベース部材２７の第１取付部２７１の取付孔に挿入して、取付ネジをネジ受け孔に螺着することにより、取付ベース部材２７を金属製厚板に取り付けてもよい。なお、上部フレームの上下方向の厚みは、島メーカーによってまちまちのため、第１取付部２７１の取付孔は長孔となっている。また、取付ベース部材２７を金属製厚板に溶接してもよい。また、他方を上部フレーム２０３の後面２０３ｂに当着せず、後面２０３ｂと離隔してもよい。
【００５０】
前述した遊技機１００の下外枠１０１ａを固定する第１実施形態の遊技機固定具１０も、左右に広い取付スペースを要するものであるため、遊技機１００の機種によっては、遊技球回収機構などが邪魔になって取り付け難いケースも考えられる。そこで、狭小な取り付けスペースに対応可能な第３実施形態に係る遊技機固定具３０を、図２３，２４に基づき説明する。なお、遊技機固定具３０は、第１実施形態の遊技機固定具１０とほぼ同様の構成で、同一の構成には同一符号を付して説明を省略する。
【００５１】
この遊技機固定具３０が遊技機固定具１０と大きく違うのは、第１，第２取付部材１１Ａ，１１Ｂである。遊技機固定具１０においては、取付部１１１が左側方に延出している第１取付部材１１Ａを左側に、取付部１１１が右側方に延出している第２取付部材１１Ｂを右側に各々用いているが、遊技機固定具３０においては、取付部１１１が左側方に延出している第１取付部材１１Ａを右側に、取付部１１１が右側方に延出している第２取付部材１１Ｂを左側に用いることで、左右の取付部１１１が共に内向きとなり、左右幅を抑えることができる。なお、本実施形態のように、第１，第２取付部材１１Ａ，１１Ｂを用いるようにすれば、第１実施形態の遊技機固定具１０と同じパーツを流用して遊技機固定具３０を製造できるという利点があるが、これに限定されず、第１，第２取付部材１１Ａ，１１Ｂを一体にした断面コ字状の厚板金具を取付部材として用いても良い。なお、第１取付部材１１Ａ，第２取付部材１１Ｂに設けられた、第１取付孔１１１ａ，第２取付孔１１１ｂ，第３取付孔１１１ｃのうち、第１取付孔１１１ａ、第２取付孔１１１ｂが固定部材に遮られ、下部フレーム２０２にビス止めする際に、使用しにくくなる。
【００５２】
また、図２５に示す第４実施形態の遊技機固定具４０は、一対の第１取付部材１１Ａを用いるもので、取付部１１１が右側方に延出しないので、右側方にのみ取付を困難にする障害がある場合に好適である。なお、右側の取付部１１１と異なり、左側の取付部１１１の第１取付孔１１１ａ、第２取付孔１１１ｂは、固定部材１２に遮られない。
【００５３】
逆に、図２６に示す第５実施形態の遊技機固定具５０は、一対の第２取付部材１１Ｂを用いるもので、取付部１１１が左側に延出しないので、左側方にのみ取付を困難にする障害がある場合に好適である。なお、左側の取付部１１１と異なり、右側の取付部１１１の第１取付孔１１１ａ、第２取付孔１１１ｂは、固定部材１２に遮られない。
【００５４】
上述した第３〜第５実施形態の遊技機固定具３０〜５０は、第１実施形態の遊技機固定具１０と同様な構造の固定部材１２を備えるので、図２７に示すように第１構成例の延長用固定爪部材３１０を取り付けたり、図２８に示すように第２構成例の延長用固定爪部材３２０を取り付けたりして、固定位置を微調整できる。
【００５５】
また、上述した第１，３〜５実施形態の遊技機固定具１０，３０〜５０は、遊技機１００の下外枠１０１ａの厚薄には柔軟に対応できるものの、スケールの異なる遊技機に対応させることは難しい。例えば、大スケールの遊技機１００（所謂関西枠の遊技機）に対応した島３００に小スケールの遊技機（所謂関東枠の遊技機）を装着する場合には、上下フレーム間に生ずる隙間を埋めるように補助フレーム２０４を介在させて遊技機の下外枠１０１ａを上方に位置させるため、遊技機固定具１０等を取り付けようとすると、補助フレーム２０４が障害となってしまう。そこで、図２９，３０に示すように、スペーサ４００を介在させることで遊技機固定具１０等を取り付ける位置を補助フレーム２０４の上面に揃えれば、問題なく取り付けることが可能となる。
【００５６】
上記スペーサ４００の上面である固定具載置面４０１は、補助フレーム２０４と略々面一となる高さに形成され、この固定具載置面４０１には、第１，第２取付部材１１Ａ，１１Ｂの第１〜第３取付孔１１１ａ〜１１１ｃと同じピッチで前後・左右に複数の固定ネジ導入孔４０２を設けてある。このように、第１，第２取付部材１１Ａ，１１Ｂの第１〜第３取付孔１１１ａ〜１１１ｃに合わせたピッチで固定ネジ導入孔４０２を設けておけば、図３１に示すように、第３実施形態の遊技機固定具３０を取り付ける場合にもスペーサ４００を流用することができる。
【００５７】
上述した第１〜第５実施形態の遊技機固定具１０〜５０は、対応可能な下外枠１０１ａや上外枠１０１ｂの厚さの範囲を広くするために、調整部材１３の調整部１３２を軸受け腕部１３１によって支軸から離隔させ、調整ネジ１４を第１状態もしくは第２状態で螺着可能としたが、対応可能な下外枠１０１ａや上外枠１０１ｂの厚さの範囲が狭くても良い場合、すなわち、標準的な厚さに対して多少の微調整が可能な程度で良い場合には、より簡易な構造の遊技機固定具で実現できる。
【００５８】
図３２に示す第６実施形態の遊技機固定具６０は、第１実施形態の遊技機固定具１０における調整部材１３に代えて、略角柱状の調整部材６３を備えるものである。この調整部材６３は、左右両側に被支持孔６３１を設けてあり、取付ネジ６５によって第１，第２取付部材１１Ａ，１１Ｂの保持部１１２に揺動自在に取り付けられ、調整ネジ１４のネジ胴部１４２と螺合し得るネジ受け孔６３２を備える。そして、取付ネジ６５の軸径は、第１，第２取付部材１１Ａ，１１Ｂに設けた調整部材用軸受け孔の開口径よりも小さく設定しておくことで、第１，第２取付部材１１Ａ，１１Ｂと調整部材６３との相対的位置関係を高い自由度で変化させることができる。従って、本実施形態の遊技機固定具６０においても、調整ネジ１４を調整部材６３のネジ受け孔６３２に螺合させる量を調整することで、図３２（ｃ１），（ｃ２）に示すように、固定部材１２の傾動状態を変化させることができ、遊技機の外枠の厚さにある程度のバラツキがあっても対応できる。
【００５９】
また、図３３に示す第７実施形態の遊技機固定具７０は、上記第６実施形態の遊技機固定具６０における略角柱状の調整部材６３に代えて、略円筒状の調整部材７３を備えるものである。この調整部材７３は、左右両側に被支持孔７３１を設けてあり、取付ネジ７５によって第１，第２取付部材１１Ａ，１１Ｂの保持部１１２に揺動自在に取り付けられ、調整ネジ１４のネジ胴部１４２と螺合し得るネジ受け孔７３２を備える。なお、調整部材７３は、ネジ受け孔７３２の開口する一方に平坦面７３３を形成するものとしたが、ネジ受け孔７３２の開口する両側に平坦面を設けても良いし、平坦面７３３を設けずに完全な円柱状としても良い。そして、取付ネジ７５の軸径は、第１，第２取付部材１１Ａ，１１Ｂに設けた調整部材用軸受け孔の開口径よりも小さく設定しておくことで、第１，第２取付部材１１Ａ，１１Ｂと調整部材７３との相対的位置関係を高い自由度で変化させることができる。従って、本実施形態の遊技機固定具７０においても、調整ネジ１４を調整部材７３のネジ受け孔７３２に螺合させる量を調整することで、図３３（ｃ１），（ｃ２）に示すように、固定部材１２の傾動状態を変化させることができ、遊技機の外枠の厚さにある程度のバラツキがあっても対応できる。
【００６０】
なお、遊技機固定具６０，７０においては、調整部材６３，７３に被支持孔６３１，７３１を設け、取付ネジ６５，７５により揺動自在に支承するものとしたが、これに限定されるものではなく、調整部材の両側より突出する回動軸を設けておき、これを第１，第２取付部材１１Ａ，１１Ｂの調整部材用軸受孔に通して揺動自在に支承するようにしても構わないし、その他の適宜な方法によって揺動自在に支承しても良い。また、調整部材の形状も角柱や円柱に限らず、厚板状のものなど、調整ネジ４１を適宜な強度で固着できるネジ受け孔を形成できれば、どのような形状でも構わない。
【００６１】
以上本発明をいくつかの実施形態に基づき具体的に説明したが、本明細書で開示された実施の形態は全て例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【符号の説明】
【００６２】
１０      遊技機用固定具（第１実施形態）
１１Ａ    第１取付部材
１１Ｂ    第２取付部材
１１１    取付部
１１１ａ〜１１１ｃ  第１〜第３取付孔
１１２    保持部
１１２ａ  固定部材用軸受け孔
１１２ｂ  調整部材用軸受け孔
１２      固定部材
１２１    軸受け腕部
１２１ａ  軸受け孔
１２２    固定部
１２２ａ  ネジ導入孔
１２２ｂ  固定端部
１２２ｃ  ネジ受け孔
１２３    固定爪
１３      調整部材
１３１    軸受け腕部
１３１ａ  軸受け孔
１３２    調整部
１３２ａ  ネジ受け孔
１４      調整ネジ
１４１    ネジ頭部
１４２    ネジ胴部
１５      軸部材
１５１    軸部
１５２    抜け止め部
１００      遊技機
１０１ａ    下外枠
１０１ｂ    上外枠
２００      遊技機設置島
２０１      膳板
２０２      下部フレーム
２０３      上部フレーム
【図１】
2011010919.tif 000003
【図２】
2011010919.tif 000004
【図３】
2011010919.tif 000005
【図４】
2011010919.tif 000006
【図５】
2011010919.tif 000007
【図６】
2011010919.tif 000008
【図７】
2011010919.tif 000009
【図８】
2011010919.tif 000010
【図９】
2011010919.tif 000011
【図１０】
2011010919.tif 000012
【図１１】
2011010919.tif 000013
【図１２】
2011010919.tif 000014
【図１３】
2011010919.tif 000015
【図１４】
2011010919.tif 000016
【図１５】
2011010919.tif 000017
【図１６】
2011010919.tif 000018
【図１７】
2011010919.tif 000019
【図１８】
2011010919.tif 000020
【図１９】
2011010919.tif 000021
【図２０】
2011010919.tif 000022
【図２１】
2011010919.tif 000023
【図２２】
2011010919.tif 000024
【図２３】
2011010919.tif 000025
【図２４】
2011010919.tif 000026
【図２５】
2011010919.tif 000027
【図２６】
2011010919.tif 000028
【図２７】
2011010919.tif 000029
【図２８】
2011010919.tif 000030
【図２９】
2011010919.tif 000031
【図３０】
2011010919.tif 000032
【図３１】
2011010919.tif 000033
【図３２】
2011010919.tif 000034
【図３３】
2011010919.tif 000035